(57)【特許請求の範囲】
【請求項１】
ハウジングに開設された開口部の一端側に回動自在に片持ち支持されて、自由端部側にロック手段が設けられた開口部を開閉する蓋体のロック機構において、
ハウジングは、開口部の他端側側壁の外側に隣接して形成されたロック凹部と、
上記開口部の他端側側壁と相対する上記ロック凹部の側壁よりロック凹部内に突出される楔状の一対の第１の係合突部と、
上記一対の第１の係合突部の間であって第１の係合突部より下側に形成される第２の係合突部と、
上記ロック凹部の外側に隣接して形成された指掛けガイド凹部とを有し、
上記蓋体のロック手段は、蓋体の自由端部に一体化された基部に連続して略Ｕ字状に湾曲して形成された弾性変位部と、
この弾性変位部の先端側に形成され、上記指掛けガイド凹部に臨まされる操作部と、
上記基部の上記開口部の他端側側壁の上記ロック凹部側の面に弾接する係合リブと、
上記弾性変位部の操作部側に形成され、上記ロック凹部内の一対の係合突部と相対係合する一対の第１のロック突部と、
上記一対の第１のロック突部の間に位置して第１のロック突部の下側に形成される第２のロック突部とを有し、
上記蓋体は、上記開口部を閉塞するようにして回動操作されると、上記第２の係合突部が上記第２のロック突部と衝合して弾性変位部を内方へと弾性変位させ、次いで、上記第１のロック突部が上記第１の係合突部を乗り越えて互いに相対係合されることにより、上記開口部を閉塞した状態でロックされ、
上記指掛け凹部を介して上記操作部を引上げ操作することにより、上記弾性変位部が内方へと弾性変位し上記第１及び第２のロック突部と上記第１及び第２の係合突部との係合状態が解除されて開口部を開放することを特徴とする蓋体のロック機構。
【請求項２】
ハウジングは、再生ユニット或いは制御基板等が組み込まれたベースハウジングと、このベースハウジングに組み合わされた状態でディスクが回転操作されるディスク回転空間部を構成する主面に、再生ユニットの光ピックアップ装置やディスク駆動手段を露呈させるピックアップ開口部が設けられたアッパハウジングと、このアッパハウジングの一側部に開閉自在に組み合わされたハウジング蓋とから構成されるハウジングであり、
開口部は、アッパハウジングのディスク回転空間部を構成する主面に開設されて内部に電池が装填される電池収納部であり、
蓋体は、電池収納部を開閉する電池蓋であり、電池収納部を閉塞した状態においてアッパハウジングの主面と略同一面を構成することを特徴とする請求項１記載の蓋体のロック機構。
【請求項３】
ロック手段は、蓋体とは独立の部材であるロック部材によって構成され、
蓋体とロック部材とは、蓋体の自由端部に形成した係合部が、ロック部材の基部に形成した係合溝に相対係合されることによって一体化されることを特徴とする請求項１又は請求項２に記載の蓋体のロック機構。
【請求項４】
ハウジングに開設された開口部の一端側に回動自在に片持ち支持されて、自由端部側にロック手段が設けられた開口部を開閉する蓋体のロック機構を備えた電子機器において、
ハウジングは、開口部の他端側側壁の外側に隣接して形成されたロック凹部と、
上記開口部の他端側側壁と相対する上記ロック凹部の側壁よりロック凹部内に突出される楔状の一対の第１の係合突部と、
上記一対の第１の係合突部の間であって第１の係合突部より下側に形成される第２の係合突部と、
上記ロック凹部の外側に隣接して形成された指掛けガイド凹部とを有し、
上記蓋体のロック手段は、蓋体の自由端部に一体化された基部に連続して略Ｕ字状に湾曲して形成された弾性変位部と、
この弾性変位部の先端側に形成され、上記指掛けガイド凹部に臨まされる操作部と、
上記基部の上記開口部の他端側側壁の上記ロック凹部側の面に弾接する係合リブと、
上記弾性変位部の操作部側に形成され、上記ロック凹部内の一対の係合突部と相対係合する一対の第１のロック突部と、
上記一対の第１のロック突部の間に位置して第１のロック突部の下側に形成される第２のロック突部とを有し、
上記蓋体は、上記開口部を閉塞するようにして回動操作されると、上記第２の係合突部が上記第２のロック突部と衝合して弾性変位部を内方へと弾性変位させ、次いで、上記第１のロック突部が上記第１の係合突部を乗り越えて互いに相対係合されることにより、上記開口部を閉塞した状態でロックされ、
上記指掛け凹部を介して上記操作部を引上げ操作することにより、上記弾性変位部が内方へと弾性変位し上記第１及び第２のロック突部と上記第１及び第２の係合突部との係合状態が解除されて開口部を開放するように構成されたことを特徴とする電子機器。
【請求項５】
ハウジングは、再生ユニット或いは制御基板等が組み込まれたベースハウジングと、このベースハウジングに組み合わされた状態でディスクが回転操作されるディスク回転空間部を構成する主面に、再生ユニットの光ピックアップ装置やディスク駆動手段を露呈させるピックアップ開口部が設けられたアッパハウジングと、このアッパハウジングの一側部に開閉自在に組み合わされたハウジング蓋とから構成されるハウジングであり、
開口部は、アッパハウジングのディスク回転空間部を構成する主面に開設されて内部に電池が装填される電池収納部であり、
蓋体は、電池収納部を開閉する電池蓋であり、電池収納部を閉塞した状態においてアッパハウジングの主面と略同一面を構成することを特徴とする請求項４記載の電子機器。
【請求項６】
ロック手段は、蓋体とは独立の部材であるロック部材によって構成され、
蓋体とロック部材とは、蓋体の自由端部に形成した係合部が、ロック部材の基部に形成した係合溝に相対係合されることによって一体化されることを特徴とする請求項４又は請求項５に記載の蓋体の電子機器。
【発明の詳細な説明】
【０００１】
【産業上の利用分野】
本発明は、ハウジングに開設された開口部の一方側に回動自在に片持ち支持されてこの開口部を開閉する蓋体のロック機構に関し、特に内部に比較的重量のある電池が装填される電池収納部がディスク回転空間部を構成する主面に開設されるとともに電池収納部を開閉する電池蓋を備える携帯型ディスクプレィヤー等に採用して好適な蓋体のロック機構及びこの蓋体のロック機構を備えた電子機器に関する。
【０００２】
【従来の技術】
携帯型ディスクプレィヤー、携帯型テーププレィヤー或いは携帯型ラジオ受信機等の各種の携帯型機器には、内部電源としてハウシングの一部に形成した電池収納部に乾電池或いは充電型電池が装填されている。電池収納部は、一般に、一方側を回動自在に片持ち状態に支持されるとともに閉塞状態でハウジングの外周面を構成する薄板状の電池蓋によって開閉される。電池蓋は、ロック機構によって電池収納部を閉塞した状態に保持されている。
【０００３】
このロック機構は、電池収納部の一方側壁部側に一体に形成された楔状の係合突部と、電池蓋の自由端部側に形成されたロック手段とから構成される。ロック手段は、電池蓋の自由端部から断面略Ｕ字状を呈して一体に突設された薄肉の弾性変位部と、この弾性変位部の側面部に形成されて係合突部と相対係合される楔状のロック突部とから構成されている。また、ロック機構には、電池の交換等に際して、電池蓋を回動操作して電池収納部を開放するために、弾性変位部の先端部に操作部が一体に形成されている。
【０００４】
電池蓋は、電池収納部を閉塞するようにして回動操作されると、弾性変位部が内側へと撓ませられることにより、ロック突部が係合突部を乗り越えて互いに相対係合することにより、電池収納部を閉塞した状態に保持される。また、電池蓋は、操作部を強く引上げ操作することにより、弾性変位部が内側へと撓ませられてロック突部と係合突部との係合状態が解除されて電池収納部を開放する。
【０００５】
【発明が解決しようとする課題】
上述したロック機構を備えた携帯型機器においては、誤って落下等されて衝撃が加えられることによって、電池蓋のロック状態が解除されて電池収納部に装填された電池が外方へと飛び出してしまうといった不都合が発生することがある。すなわち、電池収納部には、内部に比較的重量のある電池が端子板によって両側を弾持されて装填されている。電池は、衝撃が加えられることによって、電池蓋に激しくぶっかってこの電池蓋を内側から押し上げる。
【０００６】
このため、ロック機構は、この電池蓋に作用される大きな押上げ力により、操作部をてこにして弾性変位部が撓ませられてロック突部を係合突部から離す方向へと移動動作させ、係合突部とロック突部との係合が解除されて、電池蓋のロックが解除されてしまう。
【０００７】
ところで、携帯型機器においては、一般に、電池収納部をハウジングの外周面部に開設するとともに、この電池収納部を閉塞した状態においてハウジングの外周面部の一部を構成するようにして電池蓋が組み合わされて構成されている。これに対して、携帯型ディスクプレィヤーにおいては、全体の小型化を図るため電池収納部を、ディスクの回転領域であるアッパハウジングの主面の一部に開設して、電池蓋が電池収納部を閉塞した状態においてベースハウジングの主面と略同一面を構成するようにして組み合わせた構造が採用されることがある。
【０００８】
このように構成した携帯型ディスクプレィヤーは、電池の装填空間部を構成するために制御基板の一部が切り欠かれる必要が無いため、制御基板の実装効率の向上が図られる。また、制御基板は、電池収納部の底部を構成するため、端子板を直接実装することが可能となり、配線やコネクタが不要となるといった種々の特徴を有している。
【０００９】
しかしながら、かかる携帯型ディスクプレィヤーにおいては、上述したように落下等の衝撃によってロック機構が解除されて電池蓋が回動動作されると、この電池蓋がディスク回転空間部に収納されたディスクに衝合して記録面を損傷させてしまうといった重大事故が発生する虞がある。
したがって、本発明は、極めて簡易な構造により、落下等の衝撃が加えられた場合にもロック状態が確実に保持される蓋体のロック機構を及びこの蓋体のロック機構を備えた電子機器を提供することを目的に提案されたものである。
【００１０】
【課題を解決するための手段】
上記目的を達成した本発明は、ハウジングに開設された開口部の一端側に回動自在に片持ち支持されて、自由端部側にロック手段が設けられた開口部を開閉する蓋体のロック機構において、ハウジングは、開口部の他端側側壁の外側に隣接して形成されたロック凹部と、上記開口部の他端側側壁と相対する上記ロック凹部の側壁よりロック凹部内に突出される楔状の一対の第１の係合突部と、上記一対の第１の係合突部の間であって第１の係合突部より下側に形成される第２の係合突部と、上記ロック凹部の外側に隣接して形成された指掛けガイド凹部とを有し、上記蓋体のロック手段は、蓋体の自由端部に一体化された基部に連続して略Ｕ字状に湾曲して形成された弾性変位部と、この弾性変位部の先端側に形成され、上記指掛けガイド凹部に臨まされる操作部と、上記基部の上記開口部の他端側側壁の上記ロック凹部側の面に弾接する係合リブと、上記弾性変位部の操作部側に形成され、上記ロック凹部内の一対の係合突部と相対係合する一対の第１のロック突部と、上記一対の第１のロック突部の間に位置して第１のロック突部の下側に形成される第２のロック突部とを有し、上記蓋体は、上記開口部を閉塞するようにして回動操作されると、上記第２の係合突部が上記第２のロック突部と衝合して弾性変位部を内方へと弾性変位させ、次いで、上記第１のロック突部が上記第１の係合突部を乗り越えて互いに相対係合されることにより、上記開口部を閉塞した状態でロックされ、上記指掛け凹部を介して上記操作部を引上げ操作することにより、上記弾性変位部が内方へと弾性変位し上記第１及び第２のロック突部と上記第１及び第２の係合突部との係合状態が解除されて開口部を開放するように構成される。
【００１１】
また、上記目的を達成した本発明は、ハウジングに開設された開口部の一端側に回動自在に片持ち支持されて、自由端部側にロック手段が設けられた開口部を開閉する蓋体のロック機構を備えた電子機器において、ハウジングは、開口部の他端側側壁の外側に隣接して形成されたロック凹部と、上記開口部の他端側側壁と相対する上記ロック凹部の側壁よりロック凹部内に突出される楔状の一対の第１の係合突部と、上記一対の第１の係合突部の間であって第１の係合突部より下側に形成される第２の係合突部と、上記ロック凹部の外側に隣接して形成された指掛けガイド凹部とを有し、上記蓋体のロック手段は、蓋体の自由端部に一体化された基部に連続して略Ｕ字状に湾曲して形成された弾性変位部と、この弾性変位部の先端側に形成され、上記指掛けガイド凹部に臨まされる操作部と、上記基部の上記開口部の他端側側壁の上記ロック凹部側の面に弾接する係合リブと、上記弾性変位部の操作部側に形成され、上記ロック凹部内の一対の係合突部と相対係合する一対の第１のロック突部と、上記一対の第１のロック突部の間に位置して第１のロック突部の下側に形成される第２のロック突部とを有し、上記蓋体は、上記開口部を閉塞するようにして回動操作されると、上記第２の係合突部が上記第２のロック突部と衝合して弾性変位部を内方へと弾性変位させ、次いで、上記第１のロック突部が上記第１の係合突部を乗り越えて互いに相対係合されることにより、上記開口部を閉塞した状態でロックされ、上記指掛け凹部を介して上記操作部を引上げ操作することにより、上記弾性変位部が内方へと弾性変位し上記第１及び第２のロック突部と上記第１及び第２の係合突部との係合状態が解除されて開口部を開放するよう構成される。
【００１２】
【作用】
以上のように構成された本発明に係る蓋体のロック機構及び電子機器によれば、蓋体は、開口部を閉塞するようにして回動操作されると、Ｕ字状を呈して薄肉に形成された弾性変位部が内方へと撓ませられることにより、ロック突部が係合突部を乗り越えて互いに相対係合することにより、開口部を閉塞した状態でロックされる。また、蓋体は、指掛け凹部を介して操作部を強く引上げ操作することにより、弾性変位部が内方へと撓ませられてロック突部と係合突部との係合状態が解除されて開口部を開放する。
【００１３】
ロック機構は、機器が誤って落下等されて衝撃が加えられ、開口部の内部に収納された電池等が蓋体に激しくぶつかってこの蓋体に内側から強い押上力が作用された場合にも、弾性変位部の弾性力が操作部の側方部に位置して形成されたロック突部に対して係合突部との係合状態を解除するこじ上げ方向に作用されることが無いことから、このロック突部と係合突部との係合状態が保持される。また、ロック機構は、基部の側面部に形成した一対の係合リブ部がロック凹部の側壁と衝合することによってロック突部と係合突部との係合状態を解除する方向の移動動作を規制する。したがって、ロック機構は、蓋体を開口部を閉塞した状態に確実に保持する。
【００１４】
また、本発明に係る蓋体のロック機構によれば、携帯型ディスクプレィヤーに採用され、開口部をディスクの回転領域であるアッパハウジングの主面の一部に開設されて内部に電池が収納される電池収納部として構成するとともに、蓋体をこの電池収納部を閉塞した状態においてアッパハウジングの主面と略同一面を構成する電池蓋として構成したことにより、携帯型ディスクプレィヤーが誤って落下等された場合にも、電池蓋が回動動作してディスク回転空間部に収納されたディスクに衝合するといった事態は生じない。
【００１５】
【実施例】
以下、本発明の具体的実施例について、図面を参照して詳細に説明する。実施例は、本発明に係る蓋体のロック機構を電池収納部２０を開閉する電池蓋９のロック機構に採用したディスクプレィヤー１を示す。ディスクプレィヤー１は、光ディスク２が装着されてその記録部に記録された楽音信号等の再生が行われるとともに、電池収納部２０に内部電源として充電電池８が収納され、携帯型として使用される。
【００１６】
ディスクプレィヤー１は、底面部１０の外周部に周壁１１が一体に立ち上がり形成されるとともに制御基板７及び再生ユニット６が組み付けられたベースハウジング３と、このベースハウジング３に組み合わされるアッパハウジング４と、このアッパハウジング４の一方側にヒンジ機構３５を介して回動自在に組み合わされたハウジング蓋５とによってハウジングを構成している。
【００１７】
ベースハウジング３には、底面部１０の適宜の位置に、制御基板７を位置決め固定するとともにアッパハウジング４との結合を行うための複数個の結合用スタッド１２が一体に形成されている。また、ベースハウジング３には、一方のコーナ部と、このコーナ部から対角線上に位置して中央部よりもやや対角コーナ部側の位置と、対角線を挟む左右の位置にそれぞれ位置決め用スタッド１３が一体に形成されている。さらに、ベースハウジング３には、底面部１０の一方側に位置して詳細を省略する操作スイッチ群１４が配設されている。
【００１８】
アッパハウジング４は、ベースハウジング３と略同形の外径寸法を有して形成されており、光ディスク２のディスク回転空間部を構成する主面１５の外周部にベースハウジング３側に向かって周壁１６が一体に立ち上がり形成されている。アッパハウジング４には、一方のコーナ部に位置して主面１５から庇状に突出形成された円弧状のガイド壁１７が形成されている。また、アッパハウジング４には、主面１５の、このガイド壁１７が形成された一方のコーナ部から対角線上に位置して中央部よりもやや対角コーナ部に亘る領域を大きく切り欠くことによってピックアップ開口部１８が形成されている。さらに、アッパハウジング４には、他方のコーナ部を始点としてピックアップ開口部１８と周壁１６との間の領域を矩形に切り欠くことによって電池収納部２０の開口部を構成する電池装填用開口１９が開設されている。
【００１９】
アッパハウジング４には、図５に示すように、電池装填用開口１９が開設されている。電池装填用開口１９の一端側には後述するように蓋体９が支持され、他端側の側壁２４（以下、開口側壁２４という。）の外側に隣接してロック凹部２３が設けられている。
主面１５には、ロック凹部２３を構成し、電池装填用開口１９の他端側側壁２４と相対する側面壁２２（以下、凹部側壁２２という。）を介して略半円の指掛けガイド凹部２１が凹設されている。凹部側壁２２には、上端縁の幅方向の両側に離間位置して一対の第１の係合突部２２Ｂ、２２Ｂが一体に突出形成されている。また、この凹部側壁２２には、幅方向のほぼ中央部であって上端縁からやや下方部に位置して第２の係合突部２２Ａが一体に突出形成されている。これら第１の係合突部２２Ｂと第２の係合突部２２Ａとは、それぞれロック凹部２３内に突出する断面略楔状を呈する突部として形成されている。
【００２０】
アッパハウジング４には、図３に示すように、電池装填用開口１９の開口側壁２４と対向する側壁部に、軸受け部２５が形成されている。この軸受け部２５は、詳細を省略するが、適当な間隔をもった同軸上に位置する複数の軸受け筒部によって構成されており、これら軸受け筒部間に後述する電池蓋９の一端部に形成された軸受け筒部が組み合わされて全体として軸受け筒部が構成される。この軸受け筒部には、支軸が貫通されることにより、電池蓋９が一端部を回動自在に片持ち支持される。
【００２１】
また、電池装填用開口１９には、図３に示すように、軸受け部２５が形成された側壁部に一方側の電池端子を構成する一対の電池端子片２６Ａ、２６Ｂが組み付けられている。これら電池端子片２６Ａ、２６Ｂは、詳細を省略するが、側壁部に幅方向に隣り合って組み付けられた板状のプラス端子片２６Ａと、円弧状に折曲されることによって弾性変位可能とされた一対のマイナス端子片２６Ｂとによって構成されている。
【００２２】
電池蓋９は、電池装填用開口１９を閉塞するに足る外形寸法を有する矩形の薄板部材によって構成されている。電池蓋９は、電池装填用開口１９を閉塞した状態において、アッパハウジング４の主面１５と略同一面を構成する。この電池蓋９には、自由端部のほぼ中央位置に下方に向かってＬ字状に折曲された係合片９Ａが一体に突設されており、この係合片９Ａを介して後述するロック部材２７が一体的に組み合わされる。
【００２３】
ハウジング蓋５は、アッパハウジング４と略同形の外径寸法を有して形成されており、ヒンジ機構３５によって、アッパハウジング４の一端部側に回動自在に支持されている。このハウジング蓋５には、透明板が張り付けられてディスク回転空間部に収納された光ディスク２を透視可能とした動作表示窓３６が設けられている。ヒンジ機構３５は、詳細を省略するが、ハウジング蓋５によってアッパハウジング４を閉塞した状態でしっかりと保持するとともに、アッパハウジング４の外周部に配設した開蓋操作子をスライド操作することによって動作され、ハウジング蓋５を回動動作させる。
【００２４】
再生ユニット６は、詳細を省略するが、チャンネル状のユニットフレーム３７と、このユニットフレーム３７に移動自在に支持された対物レンズ４１を備える光ピックアップ装置４０と、ユニットフレーム３７の一端側に配設支持されて光ディスク２を回転駆動させるディスク駆動手段であるディスクテーブル４２等によって構成されている。ユニットフレーム３７には、ベースハウジング３の底面部１０に形成した位置決めスタッド１３にそれぞれ対応して取付け部３８が一体に形成されている。
【００２５】
再生ユニット６は、これら取付け部３８を介してベースハウジング３に組み付けられた状態において、図２に示すように、ベースハウジング３の一方コーナ部から対角線上に延在してディスクテーブル４２がこのベースハウジング３のほぼ中央部に位置される。ユニットフレーム３７には、ディスクテーブル４２が配設された一端部側から他端部側へ向かって光ピックアップ装置４０が移動動作するガイド溝３９が設けられている。
【００２６】
再生ユニット６は、ベースハウジング３とアッパハウジング４とを組み合わせた状態において、ピックアップ開口部１８からアッパハウジング４の主面１５に露呈されてディスク回転空間部に臨ませられる。再生ユニット６は、光ディスク２がディスク回転空間部に装填されると、ディスクテーブル４２がこの光ディスク２の中心部に設けられたハブをマグネットチャッキングする。再生ユニット６は、ディスクプレィヤー１の再生操作が行われると、ディスクテーブル４２が回転動作して光ディスク２を回転駆動する。また、光ピックアップ装置４０は、ガイド溝３９中を外周部から中心側に向かって移動動作して光ディスク２の記録部に記録された楽音信号等を再生する。
【００２７】
制御基板７は、再生ユニット６に対応する部分に切欠き４３が形成されることによって、再生ユニット６に専有されたベースハウジング３の底面部１０の他の領域を専有する全体が略Ｕ字状を呈して形成されている。この制御基板７は、両面実装基板として構成され、ハウジング部に形成した各操作穴に対応して外周部に、例えばアウトプット端子４５、電源端子４６、ポーズスイッチ４７、ボリュームスイッチ４８或いは各種機能スイッチ４９がそれぞれ実装されている。
【００２８】
制御基板７は、電池装填用開口１９に対応する領域が部品実装或いは回路形成が無い領域とされることにより電池収納部２０の底面部を構成している。また、この電池収納部２０には、アッパハウジング４に設けた一対の電池端子片２６Ａ、２６Ｂにそれぞれ対応する他方側の電池端子を構成する一対の電池端子片４４Ａ、４４Ｂが実装されている。これら電池端子片４４Ａ、４４Ｂは、詳細を省略するが、コ字状のプラス端子片４４Ａと、円弧状に折曲されて弾性変位自在とされた一対のマイナス端子片４４Ｂとによって構成されている。
【００２９】
ディスクプレィヤー１は、内部電源として２個の充電型電池８が電池装填用開口１９から電池収納部２０内に装填される。充電型電池８は、電池収納部２０の底面部を構成する制御基板７上に載置支持され、アッパハウジング４側の電池端子片２６Ａ、２６Ｂと制御基板７側の電池端子片４４Ａ、４４Ｂとの間に挟持されて電気的に接続される。充電型電池８は、電池蓋９が電池装填用開口１９を閉塞することによって電池収納部２０内に保持される。
【００３０】
電池蓋９は、電池装填用開口１９の閉塞状態が先端部に一体化されたロック部材２７によって保持される。ロック部材２７は、図５及び図６に示すように、全体がロック凹部２３の開口寸法よりもやや小とされた部材であって、ブロック状の基部２８と、この基部２８の一方側面部に突出形成された弾性変位部３０と、この弾性変位部３０の先端部に形成された操作部３１とを一体に形成して構成されている。基部２８には、電池蓋９の先端部に形成した係合片９Ａの断面寸法とほぼ等しい開口寸法を有する高さ方向の係合穴２９が設けられている。また、基部２８には、図９に示すように、開口側壁２４と対向する側面部に幅方向に離間して高さ方向の係止リブ部３２Ａ、３２Ｂが一体に突設されている。
【００３１】
弾性変位部３０は、図５に示すように、ロック凹部２３の長手方向の開口寸法とほぼ等しい間隔とされた略Ｕ字状を呈しており、薄肉とされることによって内方及び外方に弾性変位自在とされる。この弾性変位部３０には、操作部３１の下方部に位置して第２のロック突部３３が一体に突設されている。この第２のロック突部３３は、弾性変位部３０のＵ字状の折返し側から先端側に向かって次第に外方へと突出されるとともに先端部において水平段部を構成する断面楔状を呈している。
【００３２】
弾性変位部３０には、先端側の両側縁部にそれぞれ第１のロック突部３４Ａ、３４Ｂが一体に突出形成されている。これら第１のロック突部３４Ａ、３４Ｂも、上述した第２のロック突部３３と同様に弾性変位部３０の側面から先端側に向かって次第に外方へと突出されるとともに先端部において水平段部を構成する断面楔状を呈して形成されている。第１のロック突部３４Ａ、３４Ｂは、凹部側壁２２に形成した一対の第１の係合突部２２Ｂ、２２Ｂにそれぞれ対応位置して弾性変位部３０に形成されている。また、第２のロック突部３３は、第２の係合突部２２Ａに対応位置して弾性変位部３０に形成されている。
【００３３】
ロック部材２７は、電池蓋９の係合片９Ａが係合穴２９に圧入されることによって電池蓋９の先端部に一体化される。なお、このロック部材２７と電池蓋９との一体化の構造は、接着或いはビス止め等の方法によって行ってもよいことは勿論である。
【００３４】
ロック部材２７は、一体化された電池蓋９が、充電電池８を収納した電池収納部２０の電池装填用開口１９を閉塞することによって、図５及び図６に示すように、ロック凹部２３に相対係合される。ロック部材２７は、ロック凹部２３と相対係合された状態において、係合リブ部３２Ａ、３２Ｂが開口側壁２４に弾接される。また、ロック部材２７は、弾性変位部３０が内方へとやや撓ませられた状態とされることによって、第１のロック突部３４Ａ、３４Ｂが第１の係合突部２２Ｂ、２２Ｂ側に付勢された状態で相対係合している。同様に、第２のロック突部３３は、第２の係合突部２２Ａ側に付勢された状態で相対係合している。
【００３５】
ロック部材２７は、ロック凹部２３に押し込まれる際に、Ｕ字状を呈して薄肉に形成された弾性変位部３０が内方へと撓ませられることにより、第２のロック突部３３が凹部側壁２２の第２の係合突部２２Ａを乗り越えて互いに相対係合する。同様に、第１のロック突部３４Ａ、３４Ｂが凹部側壁２２の第１の係合突部２２Ｂ、２２Ｂを乗り越えて互いに相対係合する。
【００３６】
ところで、第１のロック突部３４Ａ、３４Ｂと第１の係合突部２２Ｂ、２２Ｂとの係合動作は、同時に行われることが好ましいが、一方側が相対係合した後に他方側が相対係合するいわゆるダブルロック現象を呈することがある。このダブルロック現象を解消するために、第２のロック突部３３は、第１のロック突部３４Ａ、３４Ｂが第１の係合突部２２Ｂ、２２Ｂと衝合する以前に、第２の係合突部２２Ａと衝合して弾性変位部３０を内方へと弾性変位させる。換言すれば、第２のロック突部３３は、弾性変位部３０を内方へと撓ませるためのガイド作用を奏する。
【００３７】
電池蓋９は、ロック部材２７の第１のロック突部３４Ａ、３４Ｂが第１の係合突部２２Ｂ、２２Ｂと相対係合することにより、電池装填用開口１９を閉塞した状態でロックされる。なお、第２のロック突部３３も、第２の係合突部２２Ａと相対係合して電池蓋９のロック作用を奏しているが、上述した従来のロック機構と同様に、操作部３１のてこ作用によって第２の係合突部２２Ａとの係合状態が解除される方向に動作される虞れがある。したがって、この第２のロック突部３３は、後述する落下衝撃等に際してのロック状態の保持動作に大きく寄与する部位としての作用は小さく、上述したように弾性変位部３０を第１のロック突部３４Ａ、３４Ｂが第１の係合突部２２Ｂ、２２Ｂとの係合動作に先行して内方へと撓ませさせるガイド部として作用している。
【００３８】
電池蓋９は、上述したロック部材２７のロック動作によって電池装填用開口１９をしっかりと閉塞した状態に保持される。ロック部材２７は、電池蓋９が電池装填用開口１９を閉塞した状態において、図５のΔｘで示すように、操作部３１やその他の部位がアッパハウジング４の主面１５より下方側に位置される。したがって、ロック部材２７は、再生ユニット６によってディスク回転空間部内を回転駆動される光ディスク２の主面に衝合して記録面を傷付けるといった不都合を生じせさることは無い。
【００３９】
電池蓋９は、充電電池８の交換等に際して、指掛けガイド凹部２１から差し込んだ指によってロック部材２７の操作部３１を強く引上げ操作することにより、電池装填用開口１９を開放する。ロック部材２７は、この操作によって弾性変位部３０が内方へと撓ませられ、第１のロック突部３４Ａ、３４Ｂと第１の係合突部２２Ｂ、２２Ｂとの係合状態及び第２のロック突部３３と第２の係合突部２２Ａとの係合状態が解除され、ロック突部と係合突部との係合状態が解除されて電池蓋９のロック状態を解除する。
【００４０】
電池蓋９は、誤ってディスクプレィヤー１が落下等されて大きな衝撃が加えられた場合であっても、電池装填用開口１９を閉塞した状態が保持される。すなわち、電池蓋９には、落下衝撃によって電池収納部２０に収納した充電電池８が内側から激しくぶつかって強い押上力が作用される。ロック部材２７は、上述したように、凹部側壁２２の第１の係合突部２２Ｂ、２２Ｂに対して第１のロック突部３４Ａ、３４Ｂが相対係合している。これら第１の係合突部２２Ｂ、２２Ｂは、電池蓋９に作用される押上力が、第１の係合突部２２Ｂ、２２Ｂとの係合状態が解除される方向に作用されないため、係合状態が保持される。
【００４１】
また、ロック部材２７は、基部２８の側面部に形成した係合リブ部３２Ａ、３２Ｂが開口側壁２４と衝合することにより、第１のロック突部３４Ａ、３４Ｂと第１の係合突部２２Ｂ、２２Ｂとの係合状態を解除する方向への移動動作を阻止する。したがって、電池蓋９は、このロック部材２７の作用によって電池装填用開口１９を閉塞した状態が確実に保持され、ディスク回転空間部に突出して光ディスク２に衝合してその記録面を損傷させるといった不都合の発生が確実に阻止される。
【００４２】
なお、本発明は、上述したディスクプレィヤー１の電池蓋９のロック機構ばかりでなく他の機器における蓋体のロック機構として広く適用されることは勿論である。ロック部材２７は、電池蓋９と別部材によって構成したが、電池蓋９の先端部に一体に形成してもよいことは勿論である。また、第２のロック突部３３と第２の係合突部２２Ａについては、従来のロック機構に採用された構成を利用して、ロック手段とともにダブルロック現象の発生を回避するためのガイド手段として巧みに利用したが、単にガイド作用を奏させる場合には凹部側壁に衝合するガイド突部によって構成すればよい。
【００４３】
【発明の効果】
以上詳細に説明したように、本発明に係る蓋体のロック機構及び電子機器によれば、全体が簡易な構造であり、落下衝撃等が加えられて開口部の内部に収納された電池等によって蓋体に内側から強い押上力が作用された場合にも、弾性変位部の弾性力が操作部の側方部に位置して形成されたロック突部に対して係合突部との係合状態を解除するこじ上げ方向に作用されることが無く、また、ロック機構は基部の側面部に形成した係合リブ部がロック凹部の側壁と衝合することによってロック突部と係合突部との係合状態を解除する方向の移動操作を規制するため、係合突部とロック突部との係合状態が確実に保持されて蓋体による開口部の閉塞状態を保持し、内部に収納された電池等が落下して飛散するといった不都合の発生が確実に防止される。
さらにまた、ダブルロック現象の発生も回避することができる。
【図面の簡単な説明】
【図１】本発明に係る蓋体のロック機構を備えたディスクプレィヤーの分解斜視図である。
【図２】同ディスクプレイヤーにおいて、電池蓋を開いた状態の斜視図である。
【図３】同ディスクプレィヤーにおいて、電池蓋を開いた状態の要部斜視図である。
【図４】同ディスクプレィヤーの電池収納部を示す要部平面図である。
【図５】同ディスクプレィヤーの電池収納部を示し、図４のＡ−Ａ線に沿った要部縦断面図である。
【図６】同ディスクプレィヤーの電池収納部を示し、図４のＢ−Ｂ線に沿った要部縦断面図である。
【図７】電池蓋の先端部に組み付けられてロック機構を構成するロック部材の平面図である。
【図８】同ロック部材の背面図である。
【図９】同ロック部材の底面図である。
【図１０】同ロック部材の側面図である。
【符号の説明】
１  ディスクプレィヤー  、  ２  光ディスク  、  ３  ベースハウジング  、
４  アッパハウジング（ハウジング）  、  ５  ハウジング蓋  、  ６  再生ユニット  、  ７  制御基板  、  ８  充電型電池（電池）  、  ９  電池蓋  、  ２０  電池収納部（開口部）  、  ２１  指掛けガイド凹部  、  ２２  係合突部  、  ２３  ロック凹部  、  ２４  隔壁  、  ２７  ロック部材（ロック手段）  、  ２８  基部  、  ３０  弾性変位部  、  ３２  係合リブ部  、
３３  第２のロック突部  、  ３４  第１のロック突部
【図１】
0003586921.tif 000002
【図２】
0003586921.tif 000003
【図３】
0003586921.tif 000004
【図４】
0003586921.tif 000005
【図５】
0003586921.tif 000006
【図６】
0003586921.tif 000007
【図７】
0003586921.tif 000008
【図８】
0003586921.tif 000009
【図９】
0003586921.tif 000010
【図１０】
0003586921.tif 000011